(57)【要約】【課題】  定着部の加熱むらによる定着不良を効果的に防止できる定着装置を提供する。【解決手段】  定着装置は、記録媒体上の未定着画像に接触して回転する定着部材と、定着部材との間でニップ部を形成する加圧部材と、定着部材を加熱する熱源と、定着部材の長手方向において記録媒体が接触する範囲の全域の温度を検知できるように配置され、定着部材の表面温度を検知する複数の温度検知素子を有するセンサと、センサの一部の温度検知素子の出力に基づいて熱源の温度制御を行う制御部と、を備える。【選択図】  図８
2016090807.tif 000002
【特許請求の範囲】
【請求項１】
記録媒体上の未定着画像に接触して回転する定着部材と、
前記定着部材との間でニップ部を形成する加圧部材と、
前記定着部材を加熱する熱源と、
前記定着部材の長手方向において前記記録媒体が接触する範囲の全域の温度を検知できるように配置され、前記定着部材の表面温度を検知する複数の温度検知素子を有するセンサと、
前記センサの一部の温度検知素子の出力に基づいて前記熱源の温度制御を行う制御部と、
を備える定着装置。
【請求項２】
前記制御部は、
前記温度制御に用いる前記温度検知素子を選択的に変更する請求項１に記載の定着装置。
【請求項３】
前記制御部は、
最も温度が高い部分の温度と最も温度が低い部分の温度との差である温度偏差が閾値を上回る温度であると判定した場合、画像形成を中止、又は温度偏差を低減するための均熱動作を行う請求項１又は請求項２に記載の定着装置。
【請求項４】
前記制御部は、
前記センサの出力に基づいて前記定着部材に定着に適した温度範囲である定着温度から外れる部分を検知しても、当該部分が次に定着する前記記録媒体の加熱範囲に入らない場合、画像形成を行う請求項１乃至請求項３のいずれか１項に記載の定着装置。
【請求項５】
前記制御部は、
前記センサの出力に基づいて前記定着部材に定着に適した温度範囲である定着温度より高い部分があると判定した場合、冷却動作を行う請求項１乃至請求項３のいずれか１項に記載の定着装置。
【請求項６】
前記制御部は、
前記センサの前記温度検知素子の出力の少なくとも一部が定着に適した温度範囲である定着温度を下回った場合、前記定着温度に入るように前記熱源を制御して前記定着部材を加熱する請求項１に記載の定着装置。
【請求項７】
前記センサは、
複数の前記温度検知素子が直線的に配列されたリニアサーモパイルアレイである請求項１に記載の定着装置。
【請求項８】
前記センサは、
前記定着部材の長手方向に沿って複数配置される請求項１に記載の定着装置。
【請求項９】
前記熱源は、
前記定着部材の端部を加熱する端部加熱部と、
前記定着部材の中央部を加熱する中央加熱部と、
を備え、
前記制御部は、
前記センサの出力のうち一部を用いて前記端部加熱部と、前記中央加熱部と、の温度制御を行う請求項１に記載の定着装置。
【請求項１０】
請求項１乃至請求項９のいずれか１項に記載の定着装置を備える画像形成装置。 
【発明の詳細な説明】
【技術分野】
【０００１】
本発明は、定着装置及び画像形成装置に関する。
【背景技術】
【０００２】
プリンタ、複写機、ファクシミリなどの画像形成装置に対し、近年、省エネルギー化・高速化について市場の要求が強くなってきている。
【０００３】
画像形成装置では、電子写真記録、静電記録、磁気記録等の画像形成プロセスにより、像坦持体に現像材像が形成される。この現像材像は、記録材シート、印刷紙、感光紙、静電記録媒体などの記録媒体に転写される。記録媒体に転写された現像材像は、定着装置によって加熱、加圧され、記録媒体に定着される。この定着装置としては、熱ローラ方式、フィルム加熱方式、電磁誘導加熱方式等の接触加熱方式の定着装置が広く採用されている。
【０００４】
このような定着装置の一例として、ベルト方式の定着装置（例えば、特許文献１）や、セラミックヒータを用いたサーフ定着乃至フィルム定着の定着装置（例えば、特許文献２）が知られている。
【０００５】
いずれの方式においても、近年は省エネ化のために熱容量の非常に少ない定着ローラ、乃至定着ベルトが用いられている。
【０００６】
従来の定着装置は、定着ローラの温度は、定着ローラの端部に一つ及び中央部に一つの温度センサを有し、この温度センサの出力に基づいて定着ローラを加熱するヒータの過剰な加熱を防止していた。
【０００７】
従って、定着ローラの熱容量が小さいほど加熱むらが発生し、この加熱むらにより定着不良が生じていた。
【０００８】
この点に関し、定着ベルトの周面において発熱する領域全てを網羅するように、異常発熱の発生を検出する温度センサを備え、制御部が、この温度センサにより異常発熱部を検出した場合、ヒータへの給電を停止する定着装置が提案されている（例えば、特許文献３）。
【０００９】
しかし、この技術によっては異常発熱しか検知しない。従って、定着ローラが冷えることによる温度むらによる定着不良の発生を防止することはできない。
【発明の概要】
【発明が解決しようとする課題】
【００１０】
本発明は上記の問題に鑑み、定着部の加熱むらによる定着不良を効果的に防止できる定着装置を提供することを目的とする。
【課題を解決するための手段】
【００１１】
上記課題を解決するための本発明は、記録媒体上の未定着画像に接触して回転する定着部材と、定着部材との間でニップ部を形成する加圧部材と、定着部材を加熱する熱源と、定着部材の長手方向において記録媒体が接触する範囲全域の温度を検知できるように配置され、定着部材の表面温度を検知する複数の温度検知素子を有するセンサと、センサの一部の温度検知素子の出力に基づいて熱源の温度制御を行う制御部と、を備える定着装置を提供する。
【発明の効果】
【００１２】
本発明によれば、局所的な温度むらを検知することが可能となり、この温度むらをなくすように熱源及び定着ローラを制御するため、定着むらを効率よく低減することが可能となる定着装置を提供することができる。
【図面の簡単な説明】
【００１３】
【図１】画像形成装置の構成例を示す図である。
【図２】定着装置の構成を示す断面図である。
【図３】センサの定着ベルトに対する配置位置を示す図である。
【図４】二つのセンサを用いた場合の温度検知範囲を示した図である。
【図５】一つのセンサを用いた場合の温度検知範囲を示した図である。
【図６】タブがある記録媒体を通紙した場合の定着ローラの温度分布を示す図である。
【図７】濃い画像がある場合の定着ベルトの温度分布を示す図である。
【図８】画像形成装置の制御部による動作を示すフローチャートである。
【発明を実施するための形態】
【００１４】
以下、本発明の一実施形態に係る定着装置及び画像形成装置について図面を参照しながら説明する。
【００１５】
図１は、本実施形態に係る画像形成装置１の例を示す図である。図１に示すように、本実施形態に係る画像形成装置１の一例としてのプリンタは、給紙手段４と、一対のレジストローラ６と、像担持体としての感光体ドラム８と、転写手段１０と、定着装置２０と、を有している。
【００１６】
給紙手段４は、記録媒体としての用紙Ｐが積載状態で収容される給紙トレイ１４と、給紙トレイ１４に収容された用紙Ｐを最上のものから順に１枚ずつ分離して送り出す給紙コロ１６と、を有している。給紙コロ１６によって送り出された用紙Ｐはレジストローラ６において一旦停止され、姿勢ずれを矯正された後、感光体ドラム８の回転に同期するタイミング、すなわち、感光体ドラム８上に形成されたトナー像の先端と用紙Ｐの搬送方向先端部の所定位置とが一致するタイミングによりレジストローラ６によって転写部位Ｎへ送られる。
【００１７】
感光体ドラム８の周りには、矢印で示す回転方向順に、帯電手段としての帯電ローラ１８と、図示しない露光手段の一部を構成するミラー２５と、現像ローラ２２ａを備えた現像手段２２と、転写手段１０と、クリーニングブレード２４ａを備えたクリーニング手段２４と、が配置されている。
【００１８】
帯電ローラ１８と現像手段２２の間において、ミラー２５を介して感光体ドラム８の上の露光部２６に露光光線Ｌｂが照射され、走査されるようになっている。
【００１９】
本実施形態に係るプリンタにおける画像形成動作は従来と同様に行われる。すなわち、感光体ドラム８が回転を始めると、感光体ドラム８の表面が帯電ローラ１８により均一に帯電され、画像情報に基づいて露光光線Ｌｂが露光部２６に照射、走査されて作成すべき画像に対応した静電潜像が形成される。
【００２０】
この静電潜像は感光体ドラム８の回転により現像手段２２へ移動し、ここでトナーが供給されて可視像化され、トナー像が形成される。
【００２１】
感光体ドラム８上に形成されたトナー像は、所定のタイミングで転写部位Ｎに進入してきた用紙Ｐａ上に転写手段１０による転写バイアス電圧の印加により転写される。
【００２２】
トナー像を担持した用紙Ｐは定着装置２０へ向けて搬送され、定着装置２０で定着された後、図示しない排紙トレイへ排出され、積載される。
【００２３】
定着装置２０は、熱源によって加熱され、用紙Ｐを加熱する定着ローラ３０１と、定着ローラ３０１に対向して配置され、用紙Ｐを定着ローラ３０１の方向に加圧する加圧ローラ３１０と、を備える。用紙Ｐは定着ローラ３０１と加圧ローラ３１０によって形成されるニップ部に通紙され、定着される。
【００２４】
転写部位Ｎで転写されずに感光体ドラム８上に残った残留トナーは、感光体ドラム８の回転に伴ってクリーニング手段２４に至り、このクリーニング手段２４を通過する間にクリーニングブレード２４ａにより掻き落とされて清掃される。
【００２５】
その後、感光体ドラム８上の残留電位が図示しない除電手段により除去され、次の作像工程に備えられる。
【００２６】
図２は本発明の定着装置２０の実施例を示す構成図である。図２に示すように、定着装置２０は、熱源（ヒータ３０２）により加熱される中空形状であって、記録媒体上の未定着画像であるトナー像に接触してトナー像を加熱、溶融する定着部材（定着ローラ３０１）と、この定着部材の外周側にこの定着部材と圧接可能に配置され、定着部材との間にニップ部を形成する加圧部材（加圧ローラ３１０）と、を備える。以下、定着ローラ３０１の長手方向（図２の奥行き方向）を軸方向、定着ローラ３０１の回転方向を周方向とも称する。
【００２７】
本実施形態では、薄肉化され弾性変形するローラを定着ローラ３０１、弾性変形するローラよりも剛性の高いローラが加圧ローラ３１０である例を説明するが、反対に、定着ローラ３０１に剛性の高いローラ、加圧ローラ３１０に弾性変形する中空形状のローラを用いても良い。
【００２８】
ここで定着ローラ３０１は、図２中の矢印方向に回転する薄肉の円筒体であって、その円筒体の内部には熱源としてのヒータ３０２が配置される。また、定着ローラ３０１は、円筒状の芯金部３０３の上に、弾性層３０４、離型層３０５をこの順に積層させた多層構造体であって、加圧ローラ３１０と当接してニップ部を形成する。
【００２９】
定着ローラ３０１の最内側の芯金部３０３は、例えば、ＳＵＳ３０４等の鉄系材料で形成される。また、他に、Ｃｕ，Ｎｉ，ＰＩなどを用いても良い。
【００３０】
定着ローラ３０１の芯金部３０３の内側には、熱源としてのヒータ３０２が設けられる。ヒータ３０２としては、例えば、ハロゲンヒータ、面状ヒータ等を用いることができる。また、電磁誘導過熱手段を用いて、定着ローラ３０１の外周側から定着ローラ３０１を加熱する構成であっても良い。
【００３１】
定着ローラ３０１は、画像形成装置１が備える電源部により出力制御されたヒータ３０２によって加熱され、その表面から用紙Ｐの上のトナー像Ｔに熱が加えられる。なお、ヒータ３０２の出力制御は、定着ローラ３０１の表面温度を検知可能に設けられるセンサ２０Ｓである温度検知手段（サーモパイルアレイなど）による検知結果に基づいて行われる。このヒータ３０２の出力制御によって、定着ローラ３０１の温度、すなわち定着温度を所望の温度に制御することができる。
【００３２】
定着ローラ３０１の弾性層３０４としては、例えば、フッ素ゴム、シリコーンゴム、発泡性シリコーンゴム等の弾性材料が用いられる。定着ローラ３０１の芯金上に弾性層３０４を設けることで、ニップ部を通過した後の用紙Ｐの分離性が向上するとともに、カラー画像を形成するときの出力画像の光沢性が向上する。
【００３３】
また、定着ローラ３０１の離型層３０５としては、例えば、ＰＦＡ（４フッ化エチレンバーフルオロアルキルビニルエーテル共重合体樹脂）、ポリイミド、ポリエーテルイミド、ＰＥＳ（ポリエーテルサルファイド）等を用いることができる。定着ローラ３０１の表層に離型層３０５を設けることにより、トナー像Ｔに対する離型性（剥離性）が担保されることになる。
【００３４】
また、加圧ローラ３１０は、芯金部３１１と、弾性層３１２と、離型層３１３と、を備える。芯金部３１１は剛体であり、弾性層３１２、離型層３１３は、定着ローラ３０１と同様に構成されるものであればよい。加圧ローラ３１０は、不図示の加圧手段によって定着ローラ３０１に圧接され、加圧ローラ３１０と定着ローラ３０１との間に、ニップ部が形成される。
【００３５】
定着ローラ３０１と加圧ローラ３１０とのニップ部の入口側には、記録媒体Ｐの搬送を案内するガイド板が配設される。
【００３６】
定着装置２０は制御部４０１によって制御される。制御部４０１は、センサ２０Ｓの出力に基づいて、ヒータ３０２及び加圧ローラ３１０を駆動させる駆動部４０２を制御する。駆動部４０２が加圧ローラ３１０を矢印Ｘ１に示す方向に回転させると、加圧ローラ３１０に接触する定着ローラ３０１は従動して矢印Ｘ２に示す方向に回転する。
【００３７】
センサ２０Ｓは、温度を検知する温度検知素子を複数備えるアレイ型の温度センサを用いることができる。具体的には、センサ２０Ｓは温度検知素子に非接触にて検知対象の温度を検知するサーモパイルを用いたサーモパイルアレイを用いることができる。
【００３８】
センサ２０Ｓは、さらに複数の温度検知素子の出力からなるパラレル信号をシリアル信号に変換して出力するシフトレジスタを備えていてもよい。制御部４０１は、センサ２０Ｓから入力した信号に基づいて、温度検知素子ごとに検知した温度を判定することが可能である。
【００３９】
また、センサ２０Ｓは温度検知素子が直線的に配列されたリニアサーモパイルアレイを用いることが望ましい。リニアサーモパイルアレイの長手方向を定着部の長手方向と平行になるようにセンサ２０Ｓを配置することにより、定着部の長手方向全域、すなわち定着部が記録媒体Ｐを加熱する領域の一端から他端にかけての全域について温度を検知することが可能となるからである。
【００４０】
リニアサーモパイルアレイの代わりに、温度検知素子が矩形に配置されたエリアサーモパイルアレイを用いることもできる。
【００４１】
本実施形態においては、センサ２０Ｓはサーモパイルアレイを用い、その検知範囲が加熱体である定着ローラ３０１の長手方向全域を網羅するように配置される。従って、定着ローラ３０１の温度制御と、局所的な温度むらによる定着品質低下両方に対応することができる。
【００４２】
図３は、センサ２０Ｓの定着ローラ３０１に対する配置位置を示す図である。図３に示すように、定着装置２０は、定着部材である定着ローラ３０１の長手方向に沿って複数のセンサ２０Ｓを備えることができる。
【００４３】
サーモパイルアレイの各温度検知素子が検知する温度域が、加熱体である定着ローラ３０１の長手方向において記録媒体Ｐが接触する範囲に隙間が無くなるようにセンサ２０Ｓが配置される。また温度検知素子のうち一部は加熱体である定着ローラ３０１の温度制御をすることに用いられる。このように隙間無く温度を検知することにより、従来技術では検知できなかった温度を検知することができる。
【００４４】
各センサ２０Ｓは、温度検知素子の配列方向が定着ローラ３０１の長手方向と平行になるように配置されることが望ましい。
【００４５】
また、定着装置２０は、定着ローラ３０１が記録媒体Ｐを加熱する範囲を少なくとも含むように配置される。センサ２０Ｓの各温度検知素子が検知する範囲は、定着ローラ３０１の記録媒体Ｐを加熱する領域、すなわち定着ローラ３０１の長手方向において記録媒体Ｐが接触する範囲の全範囲を網羅するように配置されることが望ましい。
【００４６】
しかし、全域を網羅することが望みえない場合には、一つの温度検知素子が温度を検知する範囲と、この温度検知素子に隣接する他の温度検知素子が温度を検知する範囲との間に、温度が検知されない範囲があってもよい。
【００４７】
この場合には、センサ２０Ｓによって温度が検知される範囲の一端から他端の範囲に、定着ローラ３０１が用紙Ｐを加熱する範囲が含まれるようにセンサ２０Ｓが配置される。
【００４８】
図４は、二つのセンサ２０Ｓを用いた場合の温度検知範囲を示した図である。図４に示すように、定着ローラ３０１は内部に、定着ローラ３０１の中央部を加熱する中央加熱部３０２Ａと、定着ローラ３０１の長手方向の端部を加熱する端部加熱部３０２Ｂと、を備える。制御部４０１はセンサ２０Ｓの一部の温度検知素子の出力を各熱源に割り当てて各熱源の温度制御を行う。
【００４９】
この場合、センサ２０Ｓの各温度検知素子について対応する中央加熱部３０２Ａ又は端部加熱部３０２Ｂを定めることもできる。
【００５０】
例えば、センサ２０Ｓの温度検知素子のうち、ある素子が一方の端部を加熱する端部加熱部３０２Ｂの加熱部分の一部４０１Ａの温度を検知する。他の素子が他方の端部を加熱する端部加熱部３０２Ｂの加熱部分の一部４０１Ｄの温度を検知する。さらに他の素子が中央加熱部３０２Ａの加熱する部分の一部４０１Ｂ及び４０１Ｃの温度を検知する。
【００５１】
このように設定すれば、中央加熱部３０２Ａ及び端部加熱部３０２Ｂの温度制御がより容易になる。
【００５２】
図５は、一つのセンサ２０Ｓを用いた場合の温度検知範囲を示した図である。図５に示すように、一つのセンサ２０Ｓによって定着ローラ３０１の温度を検知する場合、複数のセンサ２０Ｓを用いる場合より定着ローラ３０１からの距離を多くとってセンサ２０Ｓを配置する必要がある。
【００５３】
センサ２０Ｓは、複数のセンサ２０Ｓを用いる場合より、温度検知素子の数の多いものを用いたり、より広角のレンズを備えるものを用いたりすることもできる。
【００５４】
センサ２０Ｓの温度検知素子のうち、ある素子が一方の端部を加熱する端部加熱部３０２Ｂの加熱部分の一部６０１Ａの温度を検知する。他の素子が他方の端部を加熱する端部加熱部３０２Ｂの加熱部分の一部５０１Ｃの温度を検知する。さらに他の素子が中央加熱部３０２Ａの加熱する部分の一部５０１Ｂの温度を検知する。
【００５５】
このように構成することにより、複数のセンサ２０Ｓを用いる場合より安価に定着装置２０を製造することができる。
【００５６】
図６は、タブＴがある記録媒体ＰＴを通紙した場合の定着ローラ３０１の温度分布を示す図である。グラフ６０１は、縦軸が温度、横軸が定着ローラ３０１の一端からの距離を示す。また、破線６０２は定着に用いられる基準の温度である定着温度を示す。
【００５７】
図６に示すように、下向きの矢印の方向にタブＴを有する記録媒体ＰＴが定着装置２０に通紙された場合、グラフ６０１のように、タブＴの部分において定着ローラ３０１の温度が定着温度を下回り、温度むらが発生することがある。このような場合、定着不良が発生する場合がある。
【００５８】
このような場合においても、本実施形態の定着装置２０によれば温度が低い場所を特定することが可能となり、定着ローラ３０１の温度制御を細かく行うことが可能となる。
【００５９】
図７は、濃い画像Ｇ１、Ｇ２がある場合の定着ローラ３０１の温度分布を示す図である。グラフ７０１は、縦軸が温度、横軸が定着ローラ３０１の一端からの距離を示す。また、破線７０２は定着に用いられる基準の温度である定着温度を示す。
【００６０】
図７に示すように、濃い画像Ｇ１、Ｇ２の部分において、定着ローラ３０１の温度が定着温度を下回る温度むらが発生し、現像材が剥がれる場合がある。
【００６１】
このような場合、ある素子が部分７０３Ａの温度を、他の素子が部分７０３Ｂの温度を検知することができる。従って、センサ２０Ｓの出力に基づいて、制御部４０１は温度が低い部分に対応する熱源の温度を上げるように、又は均熱動作を行うように制御することができる。
【００６２】
ここで、均熱動作は、定着ローラ３０１の温度が低い部分に対応する熱源を加熱させながら定着ローラ３０１を回転させる動作を含む。この均熱動作の際、画像形成装置１は画像形成を中止してもよい。
【００６３】
また、制御部４０１は、定着ローラ３０１の通紙域内において、高温部と低温部の温度偏差が閾値以上の温度になった場合、定着装置２０の動作を停止または定着動作の速度を低下させることにより生産性を低下させ、温度偏差を抑制するように制御することもできる。
【００６４】
定着装置２０は記録媒体Ｐにシワが発生しないように、記録媒体Ｐの端部の搬送速度が速くなるよう設計されている。これは定着ローラやそれに対向する加圧ローラ３１０の外径を中央よりも端部を大きくすることで実現している場合が多い。このような定着装置２０の場合、中央部の温度が高く、端部の温度が低いという温度差が一定以上ついてしまうと、定着ローラや加圧ローラ３１０の熱膨張さにより、シワを防止するための外径差がなくなってしまうため、シワが発生する。
【００６５】
このように長手方向で温度差が付きすぎると、シワ以外にもさまざまな弊害が発生するため、制御部４０１は高温部と低温部との温度差を設計された許容範囲以下になるように制御することもできる。
【００６６】
制御部４０１は、定着ローラ３０１の長手方向のうち、次に通紙する記録媒体Ｐの幅内の温度が所定以内であれば印刷を開始する。
【００６７】
従来技術では、温度を検知する点が少ないため、温度を検知する点が所定温度に入るまで印刷を開始することが出来なかったが、本来は用紙が通過する場所が所定温度以内になれば画像形成が可能である。従って、制御部４０１は、たとえ定着ローラ３０１の一部の温度が定着温度から外れていても、記録媒体Ｐが通過する領域である加熱範囲さえ温度を満たしていれば画像形成を開始する。この制御により、画像形成の開始の待ち時間を低減することができる。
【００６８】
この制御において、制御部４０１は温度の検知に用いる温度検知素子を選択的に変更することもできる。すなわち、Ａ３のような幅広の記録媒体Ｐの定着を行う場合と、はがきサイズのような幅の狭い記録媒体Ｐの定着を行う場合とでは、温度を検知する温度検知素子を選択的に変更することができる。具体的には、制御部４０１は、センサ２０Ｓが出力するシリアル信号のうち、温度検知に用いない温度検知素子からの出力ビットを破棄したり、使用する温度検知素子からの出力ビットを選択的に変更したりすることができる。
【００６９】
図８は、画像形成装置１の制御部４０１による動作を示すフローチャートである。図８に示すように、ステップ８０１において、制御部４０１はセンサ２０Ｓの出力値を読み込み、温度を温度検知素子ごとに判定する。
【００７０】
ステップ８０２において、制御部４０１は定着に適した温度範囲である定着温度に満たない温度を検知した温度検知素子があるかを判定する。制御部４０１は、定着温度未満の温度を検知した温度検知素子があると判定した場合、ステップ８０３に進み、無いと判定した場合、ステップ８０６に進む。
【００７１】
ステップ８０３において、制御部４０１は定着温度未満の温度を検知した温度検知素子の検知位置が次の画像形成を行うべき記録媒体Ｐの範囲内であるかを判定する。制御部４０１は定着温度未満の温度を検知した温度検知素子の検知位置が次の画像形成を行うべき記録媒体Ｐの範囲内であると判定した場合、ステップ８０４に進み、範囲内でないと判定した場合、ステップ８０９に進む。
【００７２】
ステップ８０４において、制御部４０１は最も温度が高い部分の温度と最も温度が低い部分の温度との差である温度偏差が閾値を上回る温度であるかを判定する。制御部４０１は、温度偏差が閾値を上回る温度であると判定した場合、ステップ８０８に進み、閾値以下の温度であると判定した場合、ステップ８０５に進む。
【００７３】
ステップ８０５において、制御部４０１は温度が低い部分に対応する熱源を加熱し、定着ローラ３０１の加熱動作を行い、ステップ８０１に戻る。
【００７４】
ステップ８０６において、制御部４０１は最も温度が高い部分の温度が閾値を上回る温度であるかを判定する。制御部４０１は最も温度が高い部分の温度が閾値を上回る温度であると判定した場合、ステップ８０７に進み、閾値温度以下であると判定した場合、ステップ８０９に進む。
【００７５】
ステップ８０７において、制御部４０１は定着ローラ３０１の冷却動作を行い、ステップ８０１に戻る。冷却動作には、熱源の加熱を停止し、定着ローラ３０１を停止、又は回転させる動作が含まれる。
【００７６】
ステップ８０８において、制御部４０１は定着ローラ３０１の均熱動作を行い、ステップ８０１に戻る。
【００７７】
ステップ８０９において、制御部４０１は画像形成を行う。
【００７８】
以上述べたように、本実施形態の定着装置２０は、定着部の長手方向の記録媒体Ｐの加熱領域が温度検知範囲に含まれるように配置される、複数の温度検知素子を有するセンサ２０Ｓと、センサ２０Ｓの出力に基づいて検知した最も温度が低い部分が定着温度を満たすように熱源及び定着ローラ３０１を制御する制御部４０１と、を備える。
【００７９】
従って、局所的な温度むらを検知することが可能となり、この温度むらをなくすように熱源及び定着ローラ３０１を制御するため、定着むらを効率よく低減することが可能となるという効果がある。
【符号の説明】
【００８０】
１：画像形成装置
８：感光体ドラム
１０：転写手段
２０：定着装置
２０Ｓ：センサ
３０１：定着ローラ
３０２：熱源
３１０：加圧ローラ
４０１：制御部
４０２：駆動部 
【先行技術文献】
【特許文献】
【００８１】
【特許文献１】特許第４８１８８２６号公報
【特許文献２】特許第２８６１２８０号公報
【特許文献３】特開２０１２−１７７７９０号公報
【図１】
2016090807.tif 000003
【図２】
2016090807.tif 000004
【図３】
2016090807.tif 000005
【図４】
2016090807.tif 000006
【図５】
2016090807.tif 000007
【図６】
2016090807.tif 000008
【図７】
2016090807.tif 000009
【図８】
2016090807.tif 000010